(57)【要約】【課題】多種のブラジャーに用いることができ、且つ肌に柔らかく接するブラジャーの肩ひものずれ防止具を提供する。【解決手段】このブラジャーの肩ひものずれ防止具１０は、ブラジャーの肩ひもＡの肩側面に固定される弾力性を有するシート状ずれ防止具本体１２と、シート状ずれ防止具本体１２に設けられた、ブラジャーの肩ひもＡに固定する固定手段１４とを備え、シート状ずれ防止具本体１２は、肩ひもＡの肩側面と肩の表面との間において固定されたときに、その肩ひもＡの肩側面および肩の表面にほぼ沿った面を有するように形成された、ブラジャーの肩ひもずれ防止具である。【選択図】　　　図１
2004052185.tif 000002
【特許請求の範囲】
【請求項１】
ブラジャーの肩ひもの肩側面に固定される弾力性を有するシート状ずれ防止具本体と、
前記シート状ずれ防止具本体に設けられた、ブラジャーの肩ひもに固定する固定手段とを備え、
前記シート状ずれ防止具本体は、肩ひもの肩側面と肩の表面との間において固定されたときに、その肩ひもの肩側面および肩の表面にほぼ沿った面を有するように形成された、ブラジャーの肩ひもずれ防止具。
【請求項２】
前記シート状ずれ防止具本体は、少なくとも肩に接する面が軟質な素材からなり、肩ひものトップに固定されたとき、肩の表面に密着するように構成された、請求項１に記載のブラジャーの肩ひものずれ防止具。
【請求項３】
固定手段は、シート状の固定本体を含み、
前記固定本体と前記シート状ずれ防止具本体とは連結して形成され、前記固定本体は、前記シート状ずれ防止具本体と対向して固着され、前記シート状ずれ防止具本体と前記固定本体との間に肩ひもを挟持し得るように形成された、請求項１または請求項２に記載のブラジャーの肩ひものずれ防止具。
【請求項４】
固定手段は、シート状の固定本体を含み、
前記固定本体と前記シート状ずれ防止具本体とは連結して形成され、且つ前記固定本体は、前記シート状ずれ防止具本体との境界において、シート状防止具本体側に折り返され、前記固定本体と前記シート状ずれ防止具本体とは対向して固着され、前記シート状ずれ防止具本体と前記固定本体との間に肩ひもを挟持し得るように形成された、請求項３に記載のブラジャーの肩ひものずれ防止具。
【請求項５】
固定手段は、シート状固定本体と、弾力性を有する線材とを含み、
前記シート状ずれ防止具本体の肩ひも側の表面に線材が重層され、且つシート状固定本体が、前記線材を被覆するように、前記シート状ずれ防止具本体の肩ひも側表面に積層された、請求項１ないし請求項４のいずれかに記載のブラジャーの肩ひものずれ防止具。
【請求項６】
固定手段は、シート状固定本体と粘着剤層とを含み、
前記シート状ずれ防止具本体と前記固定本体とは、シート状物で一体に形成され、シート状ずれ防止具本体の肩側の表面とは反対側の表面およびそれに続く固定本体の表面には粘着剤層が形成され、
前記固定本体は、シート状ずれ防止具本体との境界において折り返されて、シート状ずれ防止具本体と対向した状態において前記粘着剤層にて固定され、前記シート状ずれ防止具本体と前記固定本体との間に肩ひもを挟持するように形成された、請求項１ないし請求項４のいずれかに記載のブラジャーの肩ひものずれ防止具。
【請求項７】
シート状ずれ防止具本体は、天然ゴムシートからなる、請求項１ないし請求項６のいずれかに記載のブラジャーの肩ひものずれ防止具。
【発明の詳細な説明】
【０００１】
【発明の属する技術分野】
この発明は、ブラジャーの肩ひものずれ防止具に関する。
【０００２】
【従来の技術】
従来のブラジャーとして、たとえば実開平７−４０７１７号に開示されたブラジャーがある。このブラジャーは、長手方向に伸縮性のある織り上げの肩掛けベルトの、少なくとも、肩の接する面部分に、独立した多数の滑り止め小突起を形成したことを特徴とするものである。
【０００３】
【発明が解決しようとする課題】
しかしながら、実開平７−４０７１７号のブラジャーは、ブラジャーの肩掛けベルトに小突起が形成されているので、ブラジャーそのものをこのブラジャーに替えないと、このブラジャーの有する利便性を享受することができない。
しかも、小突起は肌に食い込むおそれがあり、長時間ブラジャーを使用していると、肩掛けベルトの小突起の後が肩に残るおそれがある。
したがって、既存のブラジャーにも用いることができるブラジャーの肩ひものずれ防止具が望まれている。
【０００４】
それゆえに、この発明の主たる目的は、多種のブラジャーに用いることができ、且つ肌に柔らかく接するブラジャーの肩ひものずれ防止具を提供することにある。
【０００５】
【課題を解決するための手段】
この発明の請求項１に記載のブラジャーの肩ひものずれ防止具は、ブラジャーの肩ひもの肩側面に固定される弾力性を有するシート状ずれ防止具本体と、シート状ずれ防止具本体に設けられた、ブラジャーの肩ひもに固定する固定手段とを備え、シート状ずれ防止具本体は、肩ひもの肩側面と肩の表面との間において固定されたときに、その肩ひもの肩側面および肩の表面にほぼ沿った面を有するように形成された、ブラジャーの肩ひもずれ防止具である。
この発明の請求項２に記載のブラジャーの肩ひものずれ防止具は、シート状ずれ防止具本体は、少なくとも肩に接する面が軟質な素材からなり、肩ひものトップに固定されたとき、肩の表面に密着するように構成された、請求項１に記載のブラジャーの肩ひものずれ防止具である。
この発明の請求項３に記載のブラジャーの肩ひものずれ防止具は、固定手段は、シート状の固定本体を含み、固定本体とシート状ずれ防止具本体とは連結して形成され、固定本体は、シート状ずれ防止具本体と対向して固着され、シート状ずれ防止具本体と固定本体との間に肩ひもを挟持し得るように形成された、請求項１または請求項２に記載のブラジャーの肩ひものずれ防止具である。
この発明の請求項４に記載のブラジャーの肩ひものずれ防止具は、固定手段は、シート状の固定本体を含み、固定本体とシート状ずれ防止具本体とは連結して形成され、且つ固定本体は、シート状ずれ防止具本体との境界において、シート状防止具本体側に折り返され、固定本体とシート状ずれ防止具本体とは対向して固着され、シート状ずれ防止具本体と固定本体との間に肩ひもを挟持し得るように形成された、請求項３に記載のブラジャーの肩ひものずれ防止具である。
この発明の請求項５に記載のブラジャーの肩ひものずれ防止具は、固定手段は、シート状固定本体と、弾力性を有する線材とを含み、シート状ずれ防止具本体の肩ひも側の表面に線材が重層され、且つシート状固定本体が、線材を被覆するように、シート状ずれ防止具本体の肩ひも側表面に積層された、請求項１ないし請求項４のいずれかに記載のブラジャーの肩ひものずれ防止具である。
この発明の請求項６に記載のブラジャーの肩ひものずれ防止具は、固定手段は、シート状固定本体と粘着剤層とを含み、シート状ずれ防止具本体と固定本体とは、シート状物で一体に形成され、シート状ずれ防止具本体の肩側の表面とは反対側の表面およびそれに続く固定本体の表面には粘着剤層が形成され、固定本体は、シート状ずれ防止具本体との境界において折り返されて、シート状ずれ防止具本体と対向した状態において粘着剤層にて固定され、シート状ずれ防止具本体と固定本体との間に肩ひもを挟持するように形成された、請求項１ないし請求項４のいずれかに記載のブラジャーの肩ひものずれ防止具である。
この発明の請求項７に記載のブラジャーの肩ひものずれ防止具は、シート状ずれ防止具本体は、天然ゴムシートからなる、請求項１ないし請求項６のいずれかに記載のブラジャーの肩ひものずれ防止具である。
【０００６】
この発明の上述の目的，その他の目的，特徴および利点は、図面を参照して行う以下の発明の実施の形態の詳細な説明から一層明らかとなろう。
【０００７】
【発明の実施の形態】
図１は、この発明の一実施の形態であるブラジャーの肩ひものずれ防止具の斜視図解図である。
このブラジャーの肩ひもＡのずれ防止具１０は、ブラジャーの肩ひもＡの肩側面に固定される弾力性を有するシート状のずれ防止具本体１２を含み、ずれ防止具本体１２は、天然ゴムのシート状物を適宜な大きさの略長方形に成形してなり、肩ひもＡの肩側面と肩の表面との間において固定されたときに、肩ひもＡの肩側面および肩の表面にほぼ沿った面を有するように形成されている。
ずれ防止具本体１２が天然ゴムシートの場合、ゴム添加剤によるアレルギー等接触皮膚炎を防ぐことができ、且つ、天然ゴムラテックスに元来含まれている水溶性蚤白によるラテックスアレルギーを防ぐことができるものが適する。また、天然ゴムラテックスと合成ゴムラテックスとの混合で、配合剤（加硫剤、老化防止剤、補強剤、軟化材、顔料）を加えたものの場合には、ゴム添加剤によるアレルギー皮膚炎を防ぐものが適する。
この発明に用いられる天然ゴムラテックスは、ヘベア種から採取される天然ゴムラテックスであり、フィールドラテックスまたは、アンモニア処理ラテックスのいずれのものでも使用することが出来る。原料である天然ゴムラテックスを脱蛋白処理する方法としては、次のものがある。
・天然ゴムラテックスを水で希釈した後、天然ゴムラテックスを遠心分離機にかけて濃縮精製する方法と、
・天然ゴムラテックスを蛋白分解酵素を添加して作用させた後、遠心分離機により濃縮精製する方法がある。
また、これらを併用する方法がある。
これらの方法により濃縮精製された天然ゴムラテックスを、遠心分離機にかけると、蛋白は下層の漿液へ残り、上層のラテックスのクリーム分中の蛋白が少なくなる。この様な濃縮精製を繰り返し、脱蛋白ラテックスを作成する。
また、合成ゴムとしては、シリコーン系のものが用いられる。
【０００８】
このずれ防止具本体１２の両側およびその表面には、固定手段１４が設けられている。このブラジャーの肩ひもＡのずれ防止具１０の固定手段１４は、前記ずれ防止具本体１２の両側にずれ防止具本体１２と同一の天然ゴムのシート状物が左右に延びて形成された略長方形シート状の固定本体１６ａおよび固定本体１６ｂと、前記ずれ防止具本体１２の肩ひもＡに接する面側に形成された粘着剤層１８ａと、固定本体１６ａ，１６ｂの表面であって、ずれ防止具本体１２の肩ひもＡ側表面と連続した表面に形成された粘着剤層１８ｂおよび粘着剤層１８ｃとからなる。
ブラジャーの肩ひもＡにずれ防止具本体１２を固定する手段である粘着剤層１８ａ，１８ｂ，１８ｃを構成する粘着剤は、たとえば、皮膚への影響や洗濯したときに接着力が低下しないような粘着剤が適し、たとえば、アクリル酸２−エチルヘキシル、アクリル酸エステル、アクリル酸のようなアクリル系ポリマーを含むアクリル系粘着剤が用いられる。粘着剤層１８ａ，１８ｂ，１８ｃは、粘着剤をコーティングして形成してもよく、また、不織布（薄葉紙）の両面にアクリル系粘着剤を塗布してなる両面粘着テープを用いてもよい。
【０００９】
この実施の形態においては、ずれ防止具本体１２と固定本体１６ａ，１６ｂとは、天然ゴムのシート状体によって一体成型されたもので、一枚のシート状ゴム製シートが、その長手方向に略三分割されて形成されており、中央のずれ防止具本体１２とずれ防止具本体１２の左側及び右側に延設された左右一対の固定本体１６ａおよび固定本体１６ｂとからなる。ずれ防止具本体１２と固定本体１６ａと固定本体１６ｂとは、ほぼ同じ方形状に形成されている。そして、天然ゴムのような軟質な素材によって、肩ひもＡのトップに、このずれ防止具本体１２が固定されたとき、肩の表面にずれ防止具本体１２の肩側表面が密着されるように形成されている。
粘着剤層１８ａ，１８ｂ，１８ｃは、たとえば、感圧型接着剤などが基材の表面に積層されてなる両面テープ等が、ずれ防止具本体１２の表面に全面にわたって貼着して形成され、また、粘着剤層１８ｂおよび粘着剤層１８ｃは、固定本体１６ａおよび固定本体１６ｂの表面に全面に亘って形成されている。
粘着剤層１８ａと粘着剤層１８ｂと粘着剤層１８ｃとの間、すなわちずれ防止具本体１２と固定本体１６ａおよび固定本体１６ｂとに対応する部位には、境界１９ａおよび境界１９ｂが形成され、固定本体１６ａおよび固定本体１６ｂを折り曲げやすくなるように構成されている。もっとも、境界１９ａおよび境界１９ｂは必ずしも設ける必要はなく、粘着剤層１８ａと粘着剤層１８ｂと粘着剤層１８ｃとが連続したものとしてもよい。すなわち、ずれ防止具本体１２と固定本体１６ａおよび固定本体１６ｂに亘って全面に粘着剤をコーティングして粘着剤層１８ａ、粘着剤層１８ｂおよび粘着剤層１８ｃを形成してもよい。
【００１０】
そして、この粘着剤層１８ａ，１８ｂ，１８ｃの露出側表面を保護するために、剥離シート２０ａ，２０ｂ，２０ｃが仮着されている。この剥離シート２０ａ，２０ｂ，２０ｃは、粘着剤層１８ａ，１８ｂ，１８ｃの表面を保護するために仮着されたものであるが、ずれ防止具本体１２の粘着剤層１８ａ面に仮着された剥離シート２０ａと、固定本体１６ａの表面に形成された粘着剤層１８ｂ表面に仮着された剥離シート２０ｂと、固定本体１６ｂの表面に形成された粘着剤層１８ｃに仮着された剥離シート２０ｃとは、分断されている。したがって、剥離シート２０ａと剥離シート２０ｂと剥離シート２０ｃとは、それぞれ別々に粘着剤層１８ａ，１８ｂ，１８ｃより剥離することができるように構成されている。
【００１１】
使用にあたっては、剥離シート２０ａを、ずれ防止具本体１２の粘着剤層１８ａより剥離して、粘着剤層１８ａを露出させて、ブラジャーの肩ひもＡのトップの下面に押し当てて、ずれ防止具本体１２をブラジャーの肩ひもＡの下側に貼着する。その後、剥離シート２０ｂ，２０ｃを粘着剤層１８ｂ，１８ｃより剥離して、粘着剤層１８ｂ，１８ｃを露出させて、ずれ防止具本体１２と固定本体１６ａおよび固定本体１６ｂの境界（境界１９ａおよび境界１９ｂに対応する部位）において、固定本体１６をずれ防止具本体１２側に折り曲げ且つ一方の固定本体１６ａの表面の粘着剤層１８ｂを肩ひもＡの上面に押して、粘着剤層１８ｂの接着力により貼着するとともに、他方の固定本体１６ｂの粘着剤層１８ｃを、固定本体１６ａの上面に押し当てて、粘着剤層１８ｃの接着力により貼着する。
【００１２】
【実施例１】
・ずれ防止具１０の大きさ（ずれ防止具本体１２と固定本体１６ａと固定本体１６ｂとの合計）→幅４．０ｃｍ×長さ４．０ｃｍ×厚さ０．０５ｃｍ（剥離シートを入れた厚さ：０．０６ｃｍ）
・ずれ防止具１０のずれ防止具本体１２と固定本体１６ａと固定本体１６ｂの素材→天然ゴムからなるシート（幅４．０ｃｍ×長さ４．０ｃｍ×厚さ０．０５ｃｍ）
・粘着剤層１８ａ，１８ｂ，１８ｃの粘着物→両面テープ（アクリル系粘着剤を基材（不織布）の両面に塗った両面粘着テープ）
・特徴→　付属品であり、肩ひもＡのトップに当たる部分に三つ折で装着する。
【００１３】
【実施例２】
・ずれ防止具１０の大きさ（ずれ防止具本体１２と固定本体１６ａと固定本体１６ｂとの合計）→幅４．０ｃｍ×長さ４．０ｃｍ×厚さ０．０３ｃｍ（剥離シートを入れた厚さ：０．０４ｃｍ）
・ずれ防止具１０のずれ防止具本体１２と固定本体１６ａと固定本体１６ｂの素材→天然ゴムからなるシート（幅４．０ｃｍ×長さ４．０ｃｍ×厚さ０．０３ｃｍ）
・粘着剤層１８ａ，１８ｂ，１８ｃの粘着物→両面テープ（アクリル系粘着剤を基材（不織布）の両面に塗った両面粘着テープ）
・特徴→　付属品であり、肩ひもＡのトップに当たる部分に三つ折りで装着する。
【００１４】
図８は、この発明の一実施の形態であるブラジャーの肩ひものずれ防止具の斜視図解図である。
このブラジャーの肩ひもＡのずれ防止具１１０は、ブラジャーの肩ひもＡの肩側面に固定される弾力性を有するシート状のずれ防止具本体１１２を含み、ずれ防止具本体１１２は、天然ゴムのシート状物を適宜な大きさの略方形に成形してなり、肩ひもＡの肩側面と肩の表面との間において固定されたときに、肩ひもＡの肩側面および肩の表面にほぼ沿った面を有するように形成されている。
ずれ防止具本体１１２が天然ゴムシートの場合、ゴム添加剤によるアレルギー等接触皮膚炎を防ぐことができ、且つ、天然ゴムラテックスに元来含まれている水溶性蚤白によるラテックスアレルギーを防ぐことができるものが適する。また、天然ゴムラテックスと合成ゴムラテックスとの混合で、配合剤（加硫剤、老化防止剤、補強剤、軟化材、顔料）を加えたものの場合には、ゴム添加剤によるアレルギー皮膚炎を防ぐものが適する。
この発明に用いられる天然ゴムラテックスは、ヘベア種から採取される天然ゴムラテックスであり、フィールドラテックスまたは、アンモニア処理ラテックスのいずれのものでも使用することが出来る。原料である天然ゴムラテックスを脱蛋白処理する方法としては、次のものがある。
・天然ゴムラテックスを水で希釈した後、天然ゴムラテックスを遠心分離機にかけて濃縮精製する方法と、
・天然ゴムラテックスを蛋白分解酵素を添加して作用させた後、遠心分離機により濃縮精製する方法がある。
また、これらを併用する方法がある。
これらの方法により濃縮精製された天然ゴムラテックスを、遠心分離機にかけると、蛋白は下層の漿液へ残り、上層のラテックスのクリーム分中の蛋白が少なくなる。この様な濃縮精製を繰り返し、脱蛋白ラテックスを作成する。
また、合成ゴムとしては、シリコーン系のものが用いられる。
【００１５】
このずれ防止具本体１１２の長手方向における両側およびその表面には、固定手段１１４が設けられている。このブラジャーの肩ひもＡのずれ防止具１１０の固定手段１１４は、前記ずれ防止具本体１１２の両側にずれ防止具本体１１２と同一の天然ゴムのシート状物が長手方向に延びて形成された略方形シート状の固定本体１１６ａおよび固定本体１１６ｂと、前記ずれ防止具本体１１２の肩ひもＡに接する面側に形成された粘着剤層１１８ａと、固定本体１１６ａおよび固定本体１１６ｂの表面であって、ずれ防止具本体１１２の肩ひもＡ側表面と連続した表面に形成された粘着剤層１１８ｂおよび粘着剤層１１８ｃとからなる。
ブラジャーの肩ひもＡにずれ防止具本体１１２を固定する手段である粘着剤層１１８ａ，１１８ｂ，１１８ｃを構成する粘着剤は、たとえば、皮膚への影響や洗濯したときに接着力が低下しないような粘着剤が適し、たとえば、アクリル酸２−エチルヘキシル、アクリル酸エステル、アクリル酸のようなアクリル系ポリマーを含むアクリル系粘着剤が用いられる。粘着剤層１１８ａ，１１８ｂ，１１８ｃは、粘着剤をコーティングして形成してもよく、また、不織布（薄葉紙）の両面にアクリル系粘着剤を塗布してなる両面粘着テープを用いてもよい。
【００１６】
この実施の形態においては、ずれ防止具本体１１２と固定本体１１６ａおよび固定本体１１６ｂとは、天然ゴムのシート状体によって一体成型されたもので、一枚のゴム製シートがその幅方向に形成された境界を挟んで略三分割されて形成されており、中央のずれ防止具本体１１２と左右一対の固定本体１１６ａ，１１６ｂとからなる。ずれ防止具本体１１２とずれ防止具本体１１２の左側および右側に延設された固定本体１１６ａおよび固定本体１１６ｂとは、ほぼ同じ方形状に形成されている。そして、天然ゴムのような軟質な素材によって、肩ひもＡのトップに、このずれ防止具本体１１２が固定されたとき、肩の表面にずれ防止具本体１１２の肩側表面が密着されるように形成されている。
粘着剤層１１８ａ，１１８ｂ，１１８ｃは、たとえば、感圧型接着剤などが基材の表面に積層されてなる両面テープ等が、ずれ防止具本体１１２の表面に全面にわたって貼着して形成され、また、粘着剤層１１８ｂおよび粘着剤層１１８ｃは、固定本体１１６ａおよび固定本体１１６ｂの表面に全面にわたって形成されている。
そして、この粘着剤層１１８ａ，１１８ｂ，１１８ｃの露出側表面を保護するために、剥離シート１２０ａ，１２０ｂ，１２０ｃが仮着されている。この剥離シート１２０ａ，１２０ｂ，１２０ｃは、粘着剤層１１８ａ，１１８ｂ，１１８ｃの表面を保護するために仮着されたものであるが、ずれ防止具本体１１２の粘着剤層１１８ａ面に仮着された剥離シート１２０ａと、固定本体１１６ａの表面に形成された粘着剤層１１８ｂ表面に仮着された剥離シート１２０ｂと固定本体１１６ｂの表面に形成された粘着剤層１１８ｃに仮着された剥離シート１２０ｃとは、一体のものであり、剥離シート１２０ａと剥離シート１２０ｂと剥離シート１２０ｃとは、一度に粘着剤層１１８ａ，１１８ｂ，１１８ｃより剥離することができるように構成されている。
【００１７】
使用にあたっては、一枚の剥離シート１２０ａ、剥離シート１２０ｂおよび剥離シート１２０ｃを剥離し、ずれ防止具本体１１２の表面の粘着剤層１１８ａを露出させ、固定本体１１６ａおよび固定本体１１６ｂの表面の粘着剤層１１８ｂ，１１８ｃを露出させる。
そして、ずれ防止具本体１１２の表面の粘着剤層１１８ａをブラジャーの肩ひもＡのトップの下面に押し当てて、ずれ防止具本体１１２をブラジャーの肩ひもＡの下側に貼着する。
その後、ずれ防止具本体１１２と固定本体１１６ａおよび固定本体１１６ｂの境界において、固定本体１１６をずれ防止具本体１１２側に折り曲げ且つ一方の固定本体１１６ａの表面の粘着剤層１１８ｂを肩ひもＡの上面に押して、粘着剤層１１８ｂの接着力により貼着するとともに、他方の固定本体１１６ｂの粘着剤層１１８ｃを、固定本体１１６ｂの上面に押し当てて、粘着剤層１１８ｃの接着力により貼着する。
【００１８】
【実施例３】
・ずれ防止具１１０の大きさ（ずれ防止具本体１１２と固定本体１１６ａと固定本体１１６ｂとの合計）→幅１．５ｃｍ×長さ４．０ｃｍ×厚さ０．０５ｃｍ（剥離シートを入れた厚さ：０．０６ｃｍ）
・ずれ防止具１１０のずれ防止具本体１１２と固定本体１１６ａと固定本体１１６ｂの素材→天然ゴムからなるシート（幅１．５ｃｍ×長さ４．０ｃｍ×厚さ０．０５ｃｍ）
・粘着剤層１１８ａ，１１８ｂ，１１８ｃの粘着物→両面テープ（アクリル系粘着剤を基材（不織布）の両面に塗った両面粘着テープ）
・特徴→付属品であり、肩ひもＡのトップに当たる部分に三つ折りで装着する。
【００１９】
【実施例４】
・ずれ防止具１１０の大きさ（ずれ防止具本体１１２と固定本体１１６ａと固定本体１１６ｂとの合計）→幅１．５ｃｍ×長さ４．０ｃｍ×厚さ０．０３ｃｍ（剥離シートを入れた厚さ：０．０４ｃｍ）
・ずれ防止具１１０のずれ防止具本体１１２と固定本体１１６ａと固定本体１１６ｂの素材→天然ゴムからなるシート（幅１．５ｃｍ×長さ４．０ｃｍ×厚さ０．０３ｃｍ）
・粘着剤層１１８ａ，１１８ｂ，１１８ｃの粘着物→両面テープ（アクリル系粘着剤を基材（不織布）の両面に塗った両面粘着テープ）
・特徴→付属品であり、肩ひもＡのトップに当たる部分に三つ折りで装着する。
【００２０】
図１５は、この発明の一実施の形態であるブラジャーの肩ひものずれ防止具の斜視図解図である。
このブラジャーの肩ひもＡのずれ防止具２１０は、ブラジャーの肩ひもＡの肩側面に固定される弾力性を有するシート状のずれ防止具本体２１２を含み、ずれ防止具本体２１２は、天然ゴムのシート状物を適宜な大きさの略長方形に成形してなり、肩ひもＡの肩側面と肩の表面との間において固定されたときに、肩ひもＡの肩側面および肩の表面にほぼ沿った面を有するように形成されている。
ずれ防止具本体２１２が天然ゴムシートの場合、ゴム添加剤によるアレルギー等接触皮膚炎を防ぐことができ、且つ、天然ゴムラテックスに元来含まれている水溶性蚤白によるラテックスアレルギーを防ぐことができるものが適する。また、天然ゴムラテックスと合成ゴムラテックスとの混合で、配合剤（加硫剤、老化防止剤、補強剤、軟化材、顔料）を加えたものの場合には、ゴム添加剤によるアレルギー皮膚炎を防ぐものが適する。
この発明に用いられる天然ゴムラテックスは、ヘベア種から採取される天然ゴムラテックスであり、フィールドラテックスまたは、アンモニア処理ラテックスのいずれのものでも使用することが出来る。原料である天然ゴムラテックスを脱蛋白処理する方法としては、次のものがある。
・天然ゴムラテックスを水で希釈した後、天然ゴムラテックスを遠心分離機にかけて濃縮精製する方法と、
・天然ゴムラテックスを蛋白分解酵素を添加して作用させた後、遠心分離機により濃縮精製する方法がある。
また、これらを併用する方法がある。
これらの方法により濃縮精製された天然ゴムラテックスを、遠心分離機にかけると、蛋白は下層の漿液へ残り、上層のラテックスのクリーム分中の蛋白が少なくなる。この様な濃縮精製を繰り返し、脱蛋白ラテックスを作成する。
また、合成ゴムとしては、シリコーン系のものが用いられる。
【００２１】
このずれ防止具本体２１２の左側端およびその表面には、固定手段２１４が設けられている。このブラジャーの肩ひもＡのずれ防止具２１０の固定手段２１４は、前記ずれ防止具本体２１２の左側端にずれ防止具本体２１２と同一の天然ゴムのシート状物が左に延びて形成された略長方形シート状の固定本体２１６と、前記ずれ防止具本体２１２の肩ひもＡに接する面側に形成された粘着剤層２１８ａと、固定本体２１６の表面であって、ずれ防止具本体２１２の肩ひもＡ側表面と連続した表面に形成された粘着剤層２１８ｂとからなる。
ブラジャーの肩ひもＡにずれ防止具本体２１２を固定する手段である粘着剤層２１８ａ，２１８ｂを構成する粘着剤は、たとえば、皮膚への影響や洗濯したときに接着力が低下しないような粘着剤が適し、たとえば、アクリル酸２−エチルヘキシル、アクリル酸エステル、アクリル酸のようなアクリル系ポリマーを含むアクリル系粘着剤が用いられる。粘着剤層２１８ａ，２１８ｂは、粘着剤をコーティングして形成してもよく、また、不織布（薄葉紙）の両面にアクリル系粘着剤を塗布してなる両面粘着テープを用いてもよい。
【００２２】
この実施の形態においては、ずれ防止具本体２１２と固定本体２１６とは、天然ゴムのシート状体によって一体成型されたもので、一枚のゴム製シートがその長手方向に略二分割されて形成されており、ずれ防止具本体２１２とずれ防止具本体２１２の上部に延設された固定本体２１６とからなる。天然ゴムのような軟質な素材によって、肩ひもＡのトップに、このずれ防止具本体２１２が固定されたとき、肩の表面にずれ防止具本体２１２の肩側表面が密着されるように形成されている。
粘着剤層２１８ａ，２１８ｂは、たとえば、感圧型接着剤などが基材の表面に積層されてなる両面テープ等が、ずれ防止具本体２１２の表面に全面にわたって貼着して形成され、また、粘着剤層２１８ｂは、固定本体２１６の表面に全面に亘って形成されている。
粘着剤層２１８ａと粘着剤層２１８ｂとの間、すなわちずれ防止具本体２１２と固定本体２１６とに対応する部位には、境界１１９が形成され、固定本体２１６を折り曲げやすくなるように構成されている。もっとも、境界１１９は必ずしも設ける必要はなく、粘着剤層２１８ａと粘着剤層２１８ｂとが連続したものとしてもよい。すなわち、ずれ防止具本体２１２と固定本体２１６に亘って全面に粘着剤をコーティングして粘着剤層２１８ａおよび粘着剤層２１８ｂを形成してもよい。
【００２３】
そして、この粘着剤層２１８ａ，２１８ｂの露出側表面を保護するために、剥離シート２２０ａ，２２０ｂが仮着されている。この剥離シート２２０ａ，２２０ｂは、粘着剤層２１８ａ，２１８ｂの表面を保護するために仮着されたものであるが、ずれ防止具本体２１２の粘着剤層２１８ａ面に仮着された剥離シート２２０ａと、固定本体２１６の表面に仮着された粘着剤層２１８ｂとは、分断されており、剥離シート２２０ａと剥離シート２２０ｂとは、それぞれ別々に粘着剤層２１８ａ，２１８ｂより剥離することができるように構成されている。
【００２４】
使用にあたっては、剥離シート２２０ａをずれ防止具本体２１２の表面の粘着剤層２１８ａより剥離して、粘着剤層２１８ａを露出させて、ブラジャーの肩ひもＡのトップの下面に押し当てて、ずれ防止具本体２１２をブラジャーの肩ひもＡの下側に貼着する。その後、剥離シート２２０ｂを固定本体２１６の表面の粘着剤層２１８ｂより剥離して、粘着剤層２１８ｂを露出させて、ずれ防止具本体２１２と固定本体２１６の境界（境界１１９に対応する部位）において二つ折りにして、固定本体２１６をずれ防止具本体２１２側に折り曲げ且つ粘着剤層２１８ｂを肩ひもＡの上面に押して、粘着剤層２１８ｂの接着力により貼着する。
【００２５】
【実施例５】
・ずれ防止具２１０の大きさ（ずれ防止具本体２１２と固定本体２１６との合計）→幅４．０ｃｍ×長さ４．０ｃｍ×厚さ０．０５ｃｍ（剥離シートを入れた厚さ：０．０６ｃｍ）
・ずれ防止具２１０のずれ防止具本体２１２と固定本体２１６の素材→天然ゴムからなるシート（幅４．０ｃｍ×長さ４．０ｃｍ×厚さ０．０５ｃｍ）
・粘着剤層２１８ａ，２１８ｂの粘着物→両面テープ（アクリル系粘着剤を基材（不織布）の両面に塗った両面粘着テープ）
・特徴→付属品であり、肩ひもＡのトップに当たる部分に二つ折りで装着する。
【００２６】
【実施例６】
・ずれ防止具２１０の大きさ（ずれ防止具本体２１２と固定本体２１６との合計）→幅４．０ｃｍ×長さ４．０ｃｍ×厚さ０．０３ｃｍ（剥離シートを入れた厚さ：０．０４ｃｍ）
・ずれ防止具２１０のずれ防止具本体２１２と固定本体２１６の素材→天然ゴムからなるシート（幅４．０ｃｍ×長さ４．０ｃｍ×厚さ０．０３ｃｍ）
・粘着剤層２１８ａ，２１８ｂの粘着物→両面テープ（アクリル系粘着剤を基材（不織布）の両面に塗った両面粘着テープ）
・特徴→付属品であり、肩ひもＡのトップに当たる部分に二つ折りで装着する。
【００２７】
図２０は、この発明の一実施の形態であるブラジャーの肩ひものずれ防止具の斜視図解図である。
このブラジャーの肩ひもＡのずれ防止具３１０は、ブラジャーの肩ひもＡの肩側面に固定される弾力性を有するシート状のずれ防止具本体３１２を含み、ずれ防止具本体３１２は、天然ゴムのシート状物を適宜な大きさの略方形に成形してなり、肩ひもＡの肩側面と肩の表面との間において固定されたときに、肩ひもＡの肩側面および肩の表面にほぼ沿った面を有するように形成されている。
ずれ防止具本体３１２が、天然ゴムシートの場合、ゴム添加剤によるアレルギー等接触皮膚炎を防ぐことができ、且つ、天然ゴムラテックスに元来含まれている水溶性蚤白によるラテックスアレルギーを防ぐことができるものが適する。また、天然ゴムラテックスと合成ゴムラテックスとの混合で、配合剤（加硫剤、老化防止剤、補強剤、軟化材、顔料）を加えたものの場合には、ゴム添加剤によるアレルギー皮膚炎を防ぐものが適する。
この発明に用いられる天然ゴムラテックスは、ヘベア種から採取される天然ゴムラテックスであり、フィールドラテックスまたは、アンモニア処理ラテックスのいずれのものでも使用することが出来る。原料である天然ゴムラテックスを脱蛋白処理する方法としては、次のものがある。
・天然ゴムラテックスを水で希釈した後、天然ゴムラテックスを遠心分離機にかけて濃縮精製する方法と、
・天然ゴムラテックスを蛋白分解酵素を添加して作用させた後、遠心分離機により濃縮精製する方法がある。
また、これらを併用する方法がある。
これらの方法により濃縮精製された天然ゴムラテックスを、遠心分離機にかけると、蛋白は下層の漿液へ残り、上層のラテックスのクリーム分中の蛋白が少なくなる。この様な濃縮精製を繰り返し、脱蛋白ラテックスを作成する。
また、合成ゴムとしては、シリコーン系のものが用いられる。
【００２８】
このずれ防止具本体３１２の上側およびその表面には、固定手段３１４が設けられている。このブラジャーの肩ひもＡのずれ防止具３１０の固定手段３１４は、前記ずれ防止具本体３１２の上側の幅方向に形成された境界を挟んで長手方向に伸びて形成された略方形のシート状の固定本体３１６と、前記ずれ防止具本体３１２の肩ひもＡに接する面側に形成された粘着剤層３１８ａと、固定本体３１６の表面であって、ずれ防止具本体３１２の肩ひもＡ側表面と連続した表面に形成された粘着剤層３１８ｂとからなる。ブラジャーの肩ひもＡにずれ防止具本体３１２を固定する手段である粘着剤層３１８ａおよび粘着剤層３１８ｂを構成する粘着剤は、たとえば、皮膚への影響や洗濯したときに接着力が低下しないような粘着剤が適し、たとえば、アクリル酸２−エチルヘキシル、アクリル酸エステル、アクリル酸のようなアクリル系ポリマーを含むアクリル系粘着剤が用いられる。粘着剤層３１８ａおよび粘着剤層３１８ｂは、粘着剤をコーティングして形成してもよく、また、不織布（薄葉紙）の両面にアクリル系粘着剤を塗布してなる両面粘着テープを用いてもよい。
【００２９】
この実施の形態においては、ずれ防止具本体３１２と固定本体３１６とは、天然ゴムのシート状体によって一体成型されたもので、一枚のゴム製シートがその幅方向に形成された境界を挟んで二分割され、ずれ防止具本体３１２とその上部に延設された固定本体３１６とからなる。ずれ防止具本体３１２と固定本体３１６とは、ほぼ同じ方形状に形成されている。そして、天然ゴムのような軟質な素材によって、肩ひもＡのトップに、このずれ防止具本体３１２が固定されたとき、肩の表面にずれ防止具本体３１２の肩側表面が密着されるように形成されている。
粘着剤層３１８ａおよび粘着剤層３１８ｂは、たとえば、感圧型接着剤などが基材の表面に積層されてなる両面テープ等が、ずれ防止具本体３１２の表面に全面にわたって貼着して形成され、また、粘着剤層３１８ｂは、固定本体３１６の表面に全面にわたって形成されている。
そして、この粘着剤層３１８ａおよび粘着剤層３１８ｂの露出側表面を保護するために、剥離シート３２０ａおよび剥離シート３２０ｂが仮着されている。この剥離シート３２０ａおよび剥離シート３２０ｂは、粘着剤層３１８ａおよび粘着剤層３１８ｂの表面を保護するために仮着されたものであるが、ずれ防止具本体３１２の粘着剤層３１８ａ面に仮着された剥離シート３２０ａと、固定本体３１６の表面に仮着された粘着剤層３１８ｂとは、連続して形成されており、剥離シート３２０ａと剥離シート３２０ｂとは、一体として粘着剤層３１８ａと粘着剤層３１８ｂより剥離することができるように構成されている。
【００３０】
使用にあたっては、一枚の剥離シート３２０ａおよび剥離シート３２０ｂを剥離し、ずれ防止具本体３１２の表面の粘着剤層３１８ａを露出させ、固定本体３１６の表面の粘着剤層３１８ｂを露出させる。そして、ずれ防止具本体３１２の表面の粘着剤層３１８ａをブラジャーの肩ひもＡのトップの下面に押し当てて、ずれ防止具本体３１２を貼着する。その後、ずれ防止具本体３１２と固定本体３１６の境界において、固定本体３１６をずれ防止具本体３１２側に二つ折りに折り曲げ且つ粘着剤層３１８ｂを肩ひもＡの上面に押して、粘着剤層３１８ｂの接着力により貼着するとともに、固定本体３１６の粘着剤層３１８ｂを、肩ひもＡより若干外側にはみ出したずれ防止具本体３１２の粘着剤層３１８ａの上面に押し当てて、粘着剤層３１８ａと粘着剤層３１８ｂの接着力により貼着する。
【００３１】
【実施例７】
・ずれ防止具３１０の大きさ（ずれ防止具本体３１２と固定本体３１６との合計）→幅１．５ｃｍ×長さ４．０ｃｍ×厚さ０．０５ｃｍ（剥離シートを入れた厚さ：０．０６ｃｍ）
・ずれ防止具３１０のずれ防止具本体３１２と固定本体３１６の素材→天然ゴムからなるシート（幅１．５ｃｍ×長さ４．０ｃｍ×厚さ０．０５ｃｍ）
・粘着剤層３１８ａ，３１８ｂの粘着物→両面テープ（アクリル系粘着剤を基材（不織布）の両面に塗った両面粘着テープ）
・特徴→　付属品であり、肩ひもＡのトップに当たる部分に二つ折りで装着する。
【００３２】
【実施例８】
・ずれ防止具３１０の大きさ（ずれ防止具本体３１２と固定本体３１６との合計）→幅１．５ｃｍ×長さ４．０ｃｍ×厚さ０．０３ｃｍ（剥離シートを入れた厚さ：０．０６ｃｍ）
・ずれ防止具３１０のずれ防止具本体３１２と固定本体３１６の素材→天然ゴムからなるシート（幅１．５ｃｍ×長さ４．０ｃｍ×厚さ０．０３ｃｍ）
・粘着剤層３１８ａ，３１８ｂの粘着物→両面テープ（アクリル系粘着剤を基材（不織布）の両面に塗った両面粘着テープ）
・特徴→　付属品であり、肩ひもＡのトップに当たる部分に二つ折りで装着する。
【００３３】
図２６は、この発明の別の実施の形態であるブラジャーの肩ひものずれ防止具の斜視図解図である。
このブラジャーの肩ひもＡのずれ防止具４１０は、ブラジャーの肩ひもＡの肩側面に固定される弾力性を有するシート状のずれ防止具本体４１２と、前記ずれ防止具本体４１２に設けられ、ブラジャーの肩ひもＡに固定するための固定手段４１４を備えている。
【００３４】
前記ずれ防止具本体４１２は、肩ひもＡの肩側面と肩の表面との間において固定されたときに、肩ひもＡの肩側面および肩の表面にほぼ沿った面を有するように、天然ゴムからなるシート状体が平面略方形に成形されている。
【００３５】
固定手段４１４は、ずれ防止具本体４１２の肩ひもＡ側の表面に重層された弾力性を有する線材からなる挟持体４１８と、前記挟持体４１８の両端の固定部４１８ｂを被覆し、挟持体４１８をずれ防止具本体４１２の肩ひもＡ側表面と反対側の表面に固着するシート状の固定本体４１６とを含む。
挟持体４１８は、線材が略コ字型に屈曲されてなる挟持部４１８ａと、挟持部４１８ａの先端部は、前記コ字型の挟持部４１８ａ側に向けて折り返されて形成された固定部４１８ｂとからなる。そして、先端部分の固定部４１８ｂは、ずれ防止具本体４１２の表面に重層され、シート状の固定本体４１６は、その裏面に形成された粘着剤層４２０により、挟持体４１８の先端の固定部４１８ｂのみを被覆するようにして、ずれ防止具本体４１２の肩側表面とは反対側表面に積層接着されている。
しかして、挟持体４１８の挟持部４１８ａは、ずれ防止具本体４１２およびそれに積層された固定本体４１６とから、外部に露出し、コ字型の挟持部４１８ａが固定本体４１６の肩側とは反対側表面に重なるように形成されている。
【００３６】
したがって、挟持体４１８の挟持部４１８ａと固定部４１８ｂとの間、詳しくは、固定本体４１６の表面と挟持部４１８ａとの間にブラジャーの肩ひもＡを挟み、ブラジャーの肩ひもＡの下側、すなわち肩側には、ずれ防止具本体４１２と固定本体４１６が位置するようにし、挟持体４１８の挟持部４１８ａと固定本体４１６との間に肩ひもＡを挟持することにより、肩ひもＡにずれ防止具４１０を固定するようにして用いる。
【００３７】
図３３は、この発明のさらに別の実施の形態であるブラジャーの肩ひものずれ防止具を示す斜視図解図である。
このブラジャーの肩ひもＡのずれ防止具５１０は、ブラジャーの肩ひもＡの肩側面に固定される弾力性を有するシート状のずれ防止具本体５１２と、前記ずれ防止具本体５１２に設けられ、ブラジャーの肩ひもＡに固定する固定手段５１４とを含む。
前記ずれ防止具本体５１２は、肩ひもＡの肩側面と肩の表面との間において固定されたときに、肩ひもＡの肩側面および肩の表面にほぼ沿った面を有するように平面略方形に形成された、天然ゴムのシート状体からなる。
【００３８】
固定手段５１４は、シート状の固定本体５１６と、前記固定本体５１６によって、ずれ防止具本体５１２に固定される挟持体５１８とを含む。
固定本体５１６は、ずれ防止具本体５１２の肩側面とは反対側表面に、接着剤等の接着剤層５２０により貼着された弾力性を有するシート状体からなる。固定本体５１６は、ずれ防止具本体５１２と同一の軟質な素材からなり、肩ひもＡのトップに固定されたとき、ずれ防止具本体５１２が肩の表面に密着することを助長するような素材、たとえば天然ゴムのシート状物で、ずれ防止具本体５１２と一体に接着する。
また、固定本体５１６は、ずれ防止具本体５１２と合わせた形状と同一形状に成形されている。
【００３９】
固定手段５１４を構成する挟持体５１８は、弾力性を有する線材からなり、ずれ防止具本体５１２および固定本体５１６の間において、その略全面にわたって挟持体５１８が設けられるように、Ｕ字状に線材が屈曲されて構成されている。そして、このずれ防止具５１０は、略三等分し、その分割された中央部分のずれ防止具本体５１２を肩側に接するように固定本体５１６の外表面を肩ひもＡの下側に当接させ、左右のずれ防止具本体５１２および固定本体５１６を内側に向けて折り畳み、中央部分の固定本体５１６を折り畳まれた左右の固定本体５１６との間に肩ひもＡを挟持し、ずれ防止具５１０を肩ひもＡに固定する。
もっとも、ずれ防止具５１０は予め折り畳んだ状態（図３５および図３６図示）に形成し、ずれ防止具本体５１２と固定本体５１６との間に肩ひもＡを貫挿するように構成してもよい。
【００４０】
この発明にかかるブラジャーの肩ひものずれ防止具は、前記実施の形態に限らず、たとえば、防止具本体と固定手段との接着方法として、たとえば粘着剤に代えて、面ファスナーを用いてもよい。
【００４１】
この発明によれば、表１に示すように、洗濯機で洗濯しても、一定の回数、洗剤に耐えることができ、繰り返し使用することができる。
【表１】
2004052185.tif 000003
なお、実験に使用した洗濯機、ポンプ、洗剤、洗濯時間、洗剤分量、浴比は、表２のとおりである。
【表２】
2004052185.tif 000004
【００４２】
【発明の効果】
この発明によれば、多種のブラジャーに用いることができ、且つ肌に柔らかく接するブラジャーの肩ひものずれ防止具を得ることができる。
【図面の簡単な説明】
【図１】この発明の一実施の形態であるブラジャーの肩ひものずれ防止具の斜視図解図である。
【図２】図１図示の肩ひものずれ防止具の断面図解図である。
【図３】図１図示の肩ひものずれ防止具の斜視図解図である。
【図４】図１図示の肩ひものずれ防止具の利用方法を示す斜視図解図である。
【図５】図１図示の肩ひものずれ防止具の利用方法を示す斜視図解図である。
【図６】図１図示の肩ひものずれ防止具の利用方法を示す斜視図解図である。
【図７】図１図示の肩ひものずれ防止具の利用方法を示す斜視図解図である。
【図８】この発明の別の実施の形態であるブラジャーの肩ひものずれ防止具の斜視図解図である。
【図９】図８図示の肩ひものずれ防止具の断面図解図である。
【図１０】図８図示の肩ひものずれ防止具の斜視図解図である。
【図１１】図８図示の肩ひものずれ防止具の利用方法を示す斜視図解図である。
【図１２】図８図示の肩ひものずれ防止具の利用方法を示す斜視図解図である。
【図１３】図８図示の肩ひものずれ防止具の利用方法を示す斜視図解図である。
【図１４】図８図示の肩ひものずれ防止具の利用方法を示す斜視図解図である。
【図１５】この発明の別の実施の形態であるブラジャーの肩ひものずれ防止具の斜視図解図である。
【図１６】図１５図示の肩ひものずれ防止具の断面図解図である。
【図１７】図１５図示の肩ひものずれ防止具の斜視図解図である。
【図１８】図１５図示の肩ひものずれ防止具の利用方法を示す斜視図解図である。
【図１９】図１５図示の肩ひものずれ防止具の利用方法を示す斜視図解図である。
【図２０】この発明の別の実施の形態であるブラジャーの肩ひものずれ防止具の斜視図解図である。
【図２１】図２０図示の肩ひものずれ防止具の断面図解図である。
【図２２】図２０図示の肩ひものずれ防止具の斜視図解図である。
【図２３】図２０図示の肩ひものずれ防止具の利用方法を示す斜視図解図である。
【図２４】図２０図示の肩ひものずれ防止具の利用方法を示す斜視図解図である。
【図２５】図２０図示の肩ひものずれ防止具の利用方法を示す斜視図解図である。
【図２６】この発明の別の実施の形態であるブラジャーの肩ひものずれ防止具の斜視図解図である。
【図２７】図２６図示の肩ひものずれ防止具の平面図解図である。
【図２８】図２６図示の肩ひものずれ防止具の底面図解図である。
【図２９】図２６図示の肩ひものずれ防止具の断面図解図である。
【図３０】図２６図示の肩ひものずれ防止具の利用方法を示す図解図である。
【図３１】図２６図示の肩ひものずれ防止具の利用方法を示す斜視図解図である。
【図３２】図２６図示の肩ひものずれ防止具の利用方法を示す斜視図解図である。
【図３３】この発明のさらに別の実施の形態であるブラジャーの肩ひものずれ防止具を示す斜視図解図である。
【図３４】図３３図示の肩ひものずれ防止具の断面図解図である。
【図３５】図３３図示の肩ひものずれ防止具の利用方法を示す平面図解図である。
【図３６】図３３図示の肩ひものずれ防止具の利用方法を示す底面図解図である。
【図３７】図３３図示の肩ひものずれ防止具の利用方法を示す斜視図解図である。
【図３８】図３３図示の肩ひものずれ防止具の利用方法を示す斜視図解図である。
【図３９】図３３図示の肩ひものずれ防止具の利用方法を示す斜視図解図である。
【符号の説明】
Ａ　ブラジャーの肩ひも
１０，１１０，２１０，３１０，４１０，５１０　肩ひものずれ防止具
１２，１１２，２１２，３１２，４１２，５１２　ずれ防止具本体
１４，１１４，２１４，３１４，４１４，５１４　固定手段
１６ａ，１６ｂ　固定本体
１９，１１９　境界
１１６ａ，１１６ｂ　固定本体
２１６，３１６，４１６，５１６　固定本体
４１８，５１８　挟持体
４１８ａ　挟持部
４１８ｂ　固定部
１８ａ，１８ｂ，１８ｃ　粘着剤層
１１８ａ，１１８ｂ，１１８ｃ　粘着剤層
２１８ａ，２１８ｂ　粘着剤層
３１８ａ，３１８ｂ　粘着剤層
２０ａ，２０ｂ，２０ｃ　剥離シート
１２０ａ，１２０ｂ，１２０ｃ　剥離シート
２２０ａ，２２０ｂ　剥離シート
３２０ａ，３２０ｂ　剥離シート
４２０，５２０　粘着剤層
【図１】
2004052185.tif 000005
【図２】
2004052185.tif 000006
【図３】
2004052185.tif 000007
【図４】
2004052185.tif 000008
【図５】
2004052185.tif 000009
【図６】
2004052185.tif 000010
【図７】
2004052185.tif 000011
【図８】
2004052185.tif 000012
【図９】
2004052185.tif 000013
【図１０】
2004052185.tif 000014
【図１１】
2004052185.tif 000015
【図１２】
2004052185.tif 000016
【図１３】
2004052185.tif 000017
【図１４】
2004052185.tif 000018
【図１５】
2004052185.tif 000019
【図１６】
2004052185.tif 000020
【図１７】
2004052185.tif 000021
【図１８】
2004052185.tif 000022
【図１９】
2004052185.tif 000023
【図２０】
2004052185.tif 000024
【図２１】
2004052185.tif 000025
【図２２】
2004052185.tif 000026
【図２３】
2004052185.tif 000027
【図２４】
2004052185.tif 000028
【図２５】
2004052185.tif 000029
【図２６】
2004052185.tif 000030
【図２７】
2004052185.tif 000031
【図２８】
2004052185.tif 000032
【図２９】
2004052185.tif 000033
【図３０】
2004052185.tif 000034
【図３１】
2004052185.tif 000035
【図３２】
2004052185.tif 000036
【図３３】
2004052185.tif 000037
【図３４】
2004052185.tif 000038
【図３５】
2004052185.tif 000039
【図３６】
2004052185.tif 000040
【図３７】
2004052185.tif 000041
【図３８】
2004052185.tif 000042
【図３９】
2004052185.tif 000043
【手続補正書】
【提出日】平成15年2月27日(2003.2.27)
【手続補正１】
【補正対象書類名】明細書
【補正対象項目名】特許請求の範囲
【補正方法】変更
【補正の内容】
【特許請求の範囲】
【請求項１】
ブラジャーの肩ひもの肩側面に固定される弾力性を有するシート状ずれ防止具本体と、
前記シート状ずれ防止具本体に設けられた、ブラジャーの肩ひもに固定する固定手段とを備え、
前記シート状ずれ防止具本体は、肩ひもの肩側面と肩の表面との間において固定されたときに、その肩ひもの肩側面および肩の表面にほぼ沿った面を有するように形成された、ブラジャーの肩ひもずれ防止具。
【請求項２】
前記シート状ずれ防止具本体は、少なくとも肩に接する面が軟質な素材からなり、肩ひものトップに固定されたとき、肩の表面に密着するように構成された、請求項１に記載のブラジャーの肩ひものずれ防止具。
【請求項３】
固定手段は、シート状の固定本体を含み、
前記固定本体と前記シート状ずれ防止具本体とは連結して形成され、前記固定本体は、ブラジャーの肩ひもと対向して前記シート状ずれ防止具本体と固着され、前記シート状ずれ防止具本体と前記固定本体との間に肩ひもを挟持し得るように形成された、請求項１または請求項２に記載のブラジャーの肩ひものずれ防止具。
【請求項４】
肩ひものずれ防止具は、互いに連結して形成されたシート状の固定本体およびシート状ずれ防止具本体と、その主面に塗布されてなる粘着剤層とからなり、折り返されて該粘着剤層が肩ひもを挟んで固着され、前記シート状ずれ防止具本体と前記固定本体との間に肩ひもを挟持し得るように形成された、請求項１ないし請求項３のいずれかに記載のブラジャーの肩ひものずれ防止具。
【請求項５】
固定手段は、折り曲げて形状を固定できる線材などによる挟持体が、前記固定本体と前記シート状ずれ防止具本体の間に挟まれて一体に形成され、
前記挟持体は、前記固定本体と肩ひもとを対向させて巻きつけられて、前記シート状ずれ防止具本体が表側になるように固定され、肩ひもを挟持し得るように形成された、請求項１ないし請求項４のいずれかに記載のブラジャーの肩ひものずれ防止具。
【請求項６】
シート状固定本体とシート状ずれ防止具本体との間に、折り曲げて形成された弾力性を有する線材などからなる挟持体の一部が重層され、前記挟持体から伸びた一部と、シート状固定本体との間に肩ひもを挟持させるように形成された、請求項５に記載のブラジャーの肩ひものずれ防止具。
【請求項７】
固定手段は、シート状固定本体と粘着剤層とを含み、
前記シート状ずれ防止具本体と前記固定本体とは、シート状物で一体に形成され、
該シート状ずれ防止具本体は、肌と接触しない側の面に粘着剤層が設けられ、肩ひもの肩側の面に該粘着剤層によって固着され、
シート状固定本体の一方を肩ひもに巻きつけて折り返して固着し、さらに反対側のシート状固定本体をシート状ずれ防止具本体に連なる前記固定本体と対向した状態において前記粘着剤層で接着し、肩ひもに固定される、請求項１ないし請求項４のいずれかに記載のブラジャーの肩ひものずれ防止具。
【手続補正２】
【補正対象書類名】明細書
【補正対象項目名】０００５
【補正方法】変更
【補正の内容】
【０００５】
【課題を解決するための手段】
この発明の請求項１に記載のブラジャーの肩ひものずれ防止具は、ブラジャーの肩ひもの肩側面に固定される弾力性を有するシート状ずれ防止具本体と、シート状ずれ防止具本体に設けられた、ブラジャーの肩ひもに固定する固定手段とを備え、シート状ずれ防止具本体は、肩ひもの肩側面と肩の表面との間において固定されたときに、その肩ひもの肩側面および肩の表面にほぼ沿った面を有するように形成された、ブラジャーの肩ひもずれ防止具である。
この発明の請求項２に記載のブラジャーの肩ひものずれ防止具は、シート状ずれ防止具本体は、少なくとも肩に接する面が軟質な素材からなり、肩ひものトップに固定されたとき、肩の表面に密着するように構成された、請求項１に記載のブラジャーの肩ひものずれ防止具である。
この発明の請求項３に記載のブラジャーの肩ひものずれ防止具は、固定手段は、シート状の固定本体を含み、固定本体とシート状ずれ防止具本体とは連結して形成され、固定本体は、ブラジャーの肩ひもと対向してシート状ずれ防止具本体と固着され、シート状ずれ防止具本体と固定本体との間に肩ひもを挟持し得るように形成された、請求項１または請求項２に記載のブラジャーの肩ひものずれ防止具である。
この発明の請求項４に記載のブラジャーの肩ひものずれ防止具は、肩ひものずれ防止具は、互いに連結して形成されたシート状の固定本体およびシート状ずれ防止具本体と、その主面に塗布されてなる粘着剤層とからなり、折り返されて該粘着剤層が肩ひもを挟んで固着され、シート状ずれ防止具本体と固定本体との間に肩ひもを挟持し得るように形成された、請求項１ないし請求項３のいずれかに記載のブラジャーの肩ひものずれ防止具である。
この発明の請求項５に記載のブラジャーの肩ひものずれ防止具は、固定手段は、折り曲げて形状を固定できる線材などによる挟持体が、固定本体とシート状ずれ防止具本体の間に挟まれて一体に形成され、挟持体は、固定本体と肩ひもとを対向させて巻きつけられて、シート状ずれ防止具本体が表側になるように固定され、肩ひもを挟持し得るように形成された、請求項１ないし請求項４のいずれかに記載のブラジャーの肩ひものずれ防止具である。
この発明の請求項６に記載のブラジャーの肩ひものずれ防止具は、シート状固定本体とシート状ずれ防止具本体との間に、折り曲げて形成された弾力性を有する線材などからなる挟持体の一部が重層され、挟持体から伸びた一部と、シート状固定本体との間に肩ひもを挟持させるように形成された、請求項５に記載のブラジャーの肩ひものずれ防止具である。
この発明の請求項７に記載のブラジャーの肩ひものずれ防止具は、固定手段は、シート状固定本体と粘着剤層とを含み、シート状ずれ防止具本体と固定本体とは、シート状物で一体に形成され、該シート状ずれ防止具本体は、肌と接触しない側の面に粘着剤層が設けられ、肩ひもの肩側の面に該粘着剤層によって固着され、シート状固定本体の一方を肩ひもに巻きつけて折り返して固着し、さらに反対側のシート状固定本体をシート状ずれ防止具本体に連なる固定本体と対向した状態において粘着剤層で接着し、肩ひもに固定される、請求項１ないし請求項４のいずれかに記載のブラジャーの肩ひものずれ防止具である。